(57)【要約】内側底には上方へ突出された区画傾斜部によって沈殿移送部と沈殿排出部に区画され、前記沈殿排出部の一側には排出口が具備された沈殿池と、一端が前記沈殿移送部の底に隣接配置され、前記沈殿移送部に沈殿されたスラッジへ圧力水を噴射して、前記スラッジが前記沈殿移送部から前記沈殿排出部へ移送させられる第１圧力水噴射部と、一端が前記沈殿排出部の底に隣接配置され、前記沈殿排出部に沈殿されたスラッジへ圧力水を噴射して、前記スラッジが前記排出口へ移送排出させられる第２圧力水噴射部と、一端が前記区画傾斜部の上方に配置されて、前記第２圧力水噴射部によって前記沈殿排出部の前記スラッジが移送排出される場合、前記区画傾斜部の上部へ圧力水を噴射しながら前記沈殿移送部と前記沈殿排出部との間に水膜を形成させ、前記沈殿排出部から移送される前記スラッジが前記沈殿移送部方向へ流入されることを遮断する水膜発生部と、を含む沈殿池用スラッジ排出装置を提供する。【選択図】図２
2017502831.tif 000002
【特許請求の範囲】
【請求項１】
内側底には上方へ突出された区画傾斜部によって沈殿移送部と沈殿排出部に区画され、前記沈殿排出部の一側には排出口が具備された沈殿池と、
一端が前記沈殿移送部の底に隣接配置され、前記沈殿移送部に沈殿されたスラッジへ圧力水を噴射して、前記スラッジが前記沈殿移送部から前記沈殿排出部へ移送させられる第１圧力水噴射部と、
一端が前記沈殿排出部の底に隣接配置され、前記沈殿排出部に沈殿されたスラッジへ圧力水を噴射して、前記スラッジが前記排出口へ移送排出させられる第２圧力水噴射部と、
一端が前記区画傾斜部の上方に配置され、前記第２圧力水噴射部によって前記沈殿排出部の前記スラッジが移送排出される場合、前記区画傾斜部の上部へ圧力水を噴射しながら前記沈殿移送部と前記沈殿排出部との間に水膜を形成させ、前記沈殿排出部から移送される前記スラッジが前記沈殿移送部方向へ流入されることを遮断する水膜発生部と、を含む
ことを特徴とする沈殿池用スラッジ排出装置。
【請求項２】
前記第１圧力水噴射部は、
第１ポンプと、
前記第１ポンプに連結されて、前記第１ポンプによって加圧された圧力水が供給される第１圧力水供給ラインと、
前記第１圧力水供給ラインに一端が連結された状態で、他端は前記沈殿移送部の底上方に水平状態で離隔配置される第１圧力水分配ラインと、
前記第１圧力水分配ラインの長さ方向に相互離隔されるように複数形成されて、前記圧力水を前記沈殿排出部方向へ噴射させながら、前記スラッジを前記沈殿排出部へ移送させられる第１噴射ノズルと、を含む
請求項1に記載の沈殿池用スラッジ排出装置。
【請求項３】
前記第１圧力水噴射部は、
前記第１圧力水分配ライン一側に連結設置される第１調節バルブと、
前記第１圧力水分配ラインに迂回状態で連結設置される第１負圧遅延バルブと、を具備する
請求項２に記載の沈殿池用スラッジ排出装置。
【請求項４】
前記第１噴射ノズルは、前記沈殿移送部の底に水平状態で配置されるように前記第１圧力水分配ラインに連通形成され、
前記第１圧力水分配ラインの長さ方向には、相互離隔されるように複数の第１補助噴射ノズルがさらに形成され、
前記第１補助噴射ノズルは、前記第１噴射ノズルの下方に水平状態で配置されるように前記第１圧力水分配ラインに連通される
請求項２に記載の沈殿池用スラッジ排出装置。
【請求項５】
前記第１補助噴射ノズルは、相互隣接する前記第１噴射ノズルの間に配置される
請求項４に記載の沈殿池用スラッジ排出装置。
【請求項６】
前記第２圧力水噴射部は、
第２ポンプと、
前記第２ポンプに連結されて、前記第２ポンプによって加圧された圧力水が供給される第２圧力水供給ラインと、
前記第２圧力水供給ラインに一端が連結された状態で、他端は前記沈殿排出部の底上方に水平状態で離隔配置される第２圧力水分配ラインと、
前記第２圧力水分配ラインの長さ方向に相互離隔されるように複数形成されて、前記圧力水を前記排出口方向へ噴射させながら、前記スラッジを前記排出口に移送させられる第２噴射ノズルと、を含む
請求項1に記載の沈殿池用スラッジ排出装置。
【請求項７】
前記第２圧力水噴射部は、
前記第２圧力水分配ライン一側に連結設置される第２調節バルブと、
前記第２圧力水分配ラインに迂回状態で連結設置される第２負圧遅延バルブと、を具備する
請求項６に記載の沈殿池用スラッジ排出装置。
【請求項８】
前記第２噴射ノズルは、前記沈殿排出部の底に水平状態で配置されるように前記第２圧力水分配ラインに連通形成され、
前記第２圧力水分配ラインの長さ方向には、相互離隔されるように複数の第２補助噴射ノズルがさらに形成され、
前記第２補助噴射ノズルは、前記第２噴射ノズルの下方に水平状態で配置されるように前記第２圧力水分配ラインに連通される
請求項６に記載の沈殿池用スラッジ排出装置。
【請求項９】
前記第２補助噴射ノズルは、相互隣接する前記第２噴射ノズルの間に配置される
請求項８に記載の沈殿池用スラッジ排出装置。
【請求項１０】
前記水膜発生部は、
第３ポンプと、
前記第３ポンプに連結されて、前記第３ポンプによって加圧された圧力水が供給される第３圧力水供給ラインと、
前記区画傾斜部の上方に離隔状態で並んで配置され、一端が前記第３圧力水供給ラインに連結される第３圧力水分配ラインと、
前記第３圧力水分配ラインの長さ方向に、相互離隔されるように複数形成されて、前記圧力水を前記区画傾斜部上面へ噴射させながら、前記沈殿移送部と前記沈殿排出部との間に水膜が形成されるように第３噴射ノズルと、を含む
請求項1に記載の沈殿池用スラッジ排出装置。
【請求項１１】
前記水膜発生部は、
前記第３圧力水分配ライン一側に連結設置される第３調節バルブと、
前記第３圧力水分配ラインに迂回状態で連結設置される第３負圧遅延バルブと、を具備する
請求項１０に記載の沈殿池用スラッジ排出装置。
【請求項１２】
前記区画傾斜部は三角断面形状を持ち、
前記区画傾斜部は、最上端の角部を基準に前記沈殿排出部方向への傾斜角度より前記沈殿移送部方向への傾斜角度がさらに小さく形成される
請求項1または１０に記載の沈殿池用スラッジ排出装置。
【請求項１３】
前記区画傾斜部の最上端の角部から前記沈殿移送部方向への傾斜部分は、上面が凹んでラウンドになるように形成される
請求項1２に記載の沈殿池用スラッジ排出装置。
【請求項１４】
前記沈殿移送部の先端に位置する前記沈殿池の内側角部分には、上面が凹んでラウンドになるように形成された水流誘導板が結合され、
前記第１圧力水噴射部に連結されて、前記水流誘導板上へ圧力水を噴射する死角区域噴射部を具備する
請求項1に記載の沈殿池用スラッジ排出装置。
【請求項１５】
前記死角区域噴射部は、
前記第１圧力水噴射部に一端が連結された状態で、他端は前記水流誘導板の上方に配置されるように前記沈殿移送部の先端に位置する前記沈殿池の壁部に結合される水流供給ラインと、
前記水流供給ラインの長さ方向に相互離隔されるように複数形成されて、前記第１圧力水噴射部から供給される圧力水を前記水流誘導板方向へ噴射させながら、前記沈殿移送部先端に沈殿されたスラッジを前記沈殿排出部に移送させられる水流噴射ノズルと、を含む
請求項１４に記載の沈殿池用スラッジ排出装置。
【発明の詳細な説明】
【技術分野】
【０００１】
本発明は、沈殿池用スラッジ排出装置に関し、浄水場又は下水処理場などの沈殿池に設置されて、沈殿池に凝集沈殿されたスラッジを、外部から供給される圧力水を噴射させながら移動排出させられる沈殿池用スラッジ排出装置に関するものである。
【背景技術】
【０００２】
一般的に沈殿池では、凝集剤による浮遊物が混和、凝集されて、時間が経過するに従って浮遊物が比重差によって自ら沈殿され、スラッジが底に沈むようになる。このような沈殿スラッジは、沈殿池内の水下車によって一日２〜６回沈殿池下部先端に収集されて、スラッジホッパーに保存され、水下車と連動して一日２〜６回周期的に排出されて濃縮槽に移送される。
【０００３】
しかし、沈殿池の内で凝集された浮遊物は、沈降性が良好であるため沈殿池の２/３地点に大部分沈まれ、これによって沈殿池の後端部分には沈殿されたスラッジ量が相対的に少ないので、沈殿池先端にスラッジホッパーでスラッジを移送する水下車の役割が少なくなる問題点がある。
【０００４】
また、沈殿池後端の端部分は、水下車の構造上スラッジが除去できない死角区域が存在し、これによる死角区域には、少量のスラッジが時間が経つほど持続的に滞積され、スラッジ腐敗によるスラッジが浮上されて、沈殿水質の低下と沈殿池の後処理工程に水質負荷を与える問題点と、清潔を要求する浄水施設の場合は、美観低下の要因となっている。
【０００５】
このような、問題点を解決するために、本出願人は韓国特許登録第１０-１０４６３１５号（２０１１．０６．２８）に、外部から供給される圧力水を噴射してスラッジが移動排出させられるスラッジ移送装置を開示したことがある。ここで、スラッジ移送装置は、ノズルによって圧力水を噴射してスラッジを移動させて排出口の方向に集めた後、排出口の水門を開いて再び圧力水を排出口方向へ噴射しスラッジを排出させる。
【０００６】
しかし、先出願されたスラッジ移送装置は、排出口に隣接するように集められたスラッジを圧力水で噴射して沈殿物を排出する場合、スラッジが圧力水の噴射圧力によって散らばりながら後方へ移動させられ、スラッジを安定的に排出するのに限界が発生するのである。
【発明の概要】
【発明が解決しようとする課題】
【０００７】
本発明は、圧力水の噴射によるスラッジの排出時、スラッジの散らばるによる後方への移動を遮断させて、スラッジが排出口によって安定的に排出させられる沈殿池用スラッジ排出装置を提供することに目的がある。
【課題を解決するための手段】
【０００８】
本発明は、内側底には上方へ突出された区画傾斜部によって沈殿移送部と沈殿排出部に区画され、前記沈殿排出部の一側には排出口が具備された沈殿池と、一端が前記沈殿移送部の底に隣接配置され、前記沈殿移送部に沈殿されたスラッジへ圧力水を噴射して、前記スラッジが前記沈殿移送部から前記沈殿排出部へ移送させられる第１圧力水噴射部と、一端が前記沈殿排出部の底に隣接配置されて、前記沈殿排出部に沈殿されたスラッジへ圧力水を噴射して、前記スラッジが前記排出口へ移送排出させられる第２圧力水噴射部と、一端が前記区画傾斜部の上方に配置され、前記第２圧力水噴射部によって前記沈殿排出部の前記スラッジが移送排出される場合、前記区画傾斜部の上部へ圧力水を噴射しながら前記沈殿移送部と前記沈殿排出部との間に水膜を形成させ、前記沈殿排出部から移送される前記スラッジが前記沈殿移送部方向へ流入されることを遮断する水膜発生部と、を含むことを特徴とする沈殿池用スラッジ排出装置を提供する。
【０００９】
また、前記第１圧力水噴射部は、第１ポンプと、前記第１ポンプに連結されて、前記第１ポンプによって加圧された圧力水が供給される第１圧力水供給ラインと、前記第１圧力水供給ラインに一端が連結された状態で、他端は前記沈殿移送部の底上方に水平状態で離隔配置される第１圧力水分配ラインと、前記第１圧力水分配ラインの長さ方向に相互離隔されるように複数形成されて、前記圧力水を前記沈殿排出部方向へ噴射させながら、前記スラッジを前記沈殿排出部へ移送させられる第１噴射ノズルと、を含むことができる。
【００１０】
また、前記第１圧力水噴射部は、前記第１圧力水分配ライン一側に連結設置される第１調節バルブと、前記第１圧力水分配ラインに迂回状態で連結設置される第１負圧遅延バルブと、をさらに具備することができる。
【００１１】
また、前記第１噴射ノズルは、前記沈殿移送部の底に水平状態で配置されるように前記第１圧力水分配ラインに連通形成され、前記第１圧力水分配ラインの長さ方向には、相互離隔されるように複数の第１補助噴射ノズルがさらに形成され、前記第１補助噴射ノズルは、記第１噴射ノズルの下方に水平状態で配置されるように前記第１圧力水分配ラインに連通形成されることができる。
【００１２】
また、前記第１補助噴射ノズルは、相互隣接する前記第１噴射ノズルの間に配置されることができる。
【００１３】
また、前記第２圧力水噴射部は、第２ポンプと、前記第２ポンプに連結されて、前記第２ポンプによって加圧された圧力水が供給される第２圧力水供給ラインと、前記第２圧力水供給ラインに一端が連結された状態で、他端は前記沈殿排出部の底上方に水平状態で離隔配置される第２圧力水分配ラインと、前記第２圧力水分配ラインの長さ方向に相互離隔されるように複数形成されて、前記圧力水を前記排出口方向へ噴射させながら、前記スラッジを前記排出口に移送させられる第２噴射ノズルと、を含むことができる。
【００１４】
また、前記第２圧力水噴射部は、前記第２圧力水分配ライン一側に連結設置される第２調節バルブと、前記第２圧力水分配ラインに迂回状態で連結設置される第２負圧遅延バルブと、をさらに具備することができる。
【００１５】
また、前記第２噴射ノズルは、前記沈殿排出部の底に水平状態で配置されるように前記第２圧力水分配ラインに連通形成され、前記第２圧力水分配ラインの長さ方向には、相互離隔されるように複数の第２補助噴射ノズルがさらに形成され、前記第２補助噴射ノズルは、前記第２噴射ノズルの下方に水平状態で配置されるように前記第２圧力水分配ラインに連通形成されることができる。
【００１６】
また、前記第２補助噴射ノズルは、相互隣接する前記第２噴射ノズルの間に配置されることができる。
【００１７】
また、前記水膜発生部は、第３ポンプと、前記第３ポンプに連結されて、前記第３ポンプによって加圧された圧力水が供給される第３圧力水供給ラインと、前記区画傾斜部の上方に離隔状態で並んで配置され、一端が前記第３圧力水供給ラインに連結される第３圧力水分配ラインと、前記第３圧力水分配ラインの長さ方向に、相互離隔されるように複数形成されて、前記圧力水を前記区画傾斜部上面へ噴射させながら、前記沈殿移送部と前記沈殿排出部の間に水膜が形成されるように第３噴射ノズルと、を含むことができる。
【００１８】
また、前記水膜発生部は、前記第３圧力水分配ライン一側に連結設置される第３調節バルブと、前記第３圧力水分配ラインに迂回状態で連結設置される第３負圧遅延バルブと、をさらに具備することができる。
【００１９】
また、前記区画傾斜部は三角断面形状を持ち、前記区画傾斜部は、最上端の角部を基準に前記沈殿排出部方向への傾斜角度より前記沈殿移送部方向への傾斜角度がさらに小さく形成されることができる。
【００２０】
また、前記区画傾斜部の最上端の角部から前記沈殿移送部方向への傾斜部分は、上面が凹んでラウンドになるように形成されることができる。
【００２１】
また、前記沈殿移送部の先端に位置する前記沈殿池の内側角部分には、上面が凹んでラウンドになるように形成された水流誘導板が結合され、前記第１圧力水噴射部に連結されて、前記水流誘導板上へ圧力水を噴射する死角区域噴射部をさらに具備することができる。
【００２２】
また、前記死角区域噴射部は、前記第１圧力水噴射部に一端が連結された状態で、他端は前記水流誘導板の上方に配置されるように前記沈殿移送部の先端に位置する前記沈殿池の壁部に結合される水流供給ラインと、前記水流供給ラインの長さ方向に相互離隔されるように複数形成されて、前記第１圧力水噴射部から供給される圧力水を前記水流誘導板方向へ噴射させながら、前記沈殿移送部先端に沈殿されたスラッジを前記沈殿排出部に移送させられる水流噴射ノズルと、を含むことができる。
【発明の効果】
【００２３】
本発明による沈殿池用スラッジ排出装置は、沈殿池の底に沈殿移送部と沈殿排出部に区画させる区画傾斜部を一定の高さで突出されるように形成され、沈殿移送部から沈殿排出部へのスラッジ移送は、第１圧力水噴射部によって形成され、沈殿排出部から排出口によるスラッジの沈殿池外部への移送排出は、第２圧力水噴射部によって形成される。この時、水膜発生部は、区画傾斜部上部へ水膜を形成させながら、第２圧力水噴射部がスラッジを排出口方向への排出時、スラッジが沈殿移送部へ再流入移送されることを遮断して、スラッジの排出が効率的に行われるようにする。
【図面の簡単な説明】
【００２４】
【図１】本発明の一実施例による沈殿池用スラッジ排出装置の概略構成の斜視図
【００２５】
【図２】図１の概略断面図
【発明を実施するための形態】
【００２６】
以下、添付された図面を参照しながら本発明の好ましい実施例を詳しく説明する。
【００２７】
図１は本発明の一実施例による沈殿池用スラッジ排出装置の概略構成の斜視図であり、図２は図１の概略断面図である。図１及び図２を参照すれば、前記沈殿池用スラッジ排出装置は、沈殿池１００と、第１圧力水噴射部２００と、第２圧力水噴射部３００と、水膜発生部４００とを具備している。
【００２８】
前記沈殿池１００は、浄水場や下水処理場のような所で流体内の浮遊物が混和、凝集されて、時間が経過するに従って浮遊物が沈殿されなばら底にスラッジが積もるようになる空間を持つ部分である。このような、前記沈殿池１００は、上部を開放させた円筒形状として形成されるのが一般的であるが、これに限定しないで、上部を開放させた直四角の筒状で形成されたり、以外の多角形の筒状を持つように形成されられるのはもちろんである。そして、前記沈殿池１００の底は、平らな平面を持つのが一般的であるが、これに限定しないで、一側に傾いた形状を持ったり中心方向に傾いた形状として形成されられるのももちろんである。
【００２９】
ここで、前記沈殿池１００の一側には、後に説明される第１圧力水噴射部２００、第２圧力水噴射部３００によって移送されるスラッジを、前記沈殿池１００外部へ排出させる排出口１２０が形成される。即ち、前記排出口１２０は、前記沈殿池１００の沈殿排出部１１２一側に前記沈殿池１００ 内部と外部とを連結するように形成され、第２圧力水噴射部３００で噴射される圧力水によって移送される前記沈殿排出部１１２上のスラッジを、前記沈殿池１００ 外部へ排出させられる。
【００３０】
また、前記沈殿池１００の底には、上方へ一定の高さで突出されるように区画傾斜部１１０が形成される。このような、前記区画傾斜部１１０は前記沈殿池１００の底を、沈殿移送部１１１と沈殿排出部１１２に分離し区画されるようにする。即ち、前記区画傾斜部１１０は、前記沈殿池１００ 内側の先端壁部と後端壁部の間に位置するように、前記沈殿池１００底に結合設置される。
【００３１】
ここで、前記沈殿移送部１１１底のスラッジは、後に説明される第１圧力水噴射部２００から噴射される圧力水によって、沈殿排出部１１２方向へ移送される。そして、前記沈殿排出部１１２底のスラッジは、後に説明される第２圧力水噴射部３００から噴射される圧力水によって、前記沈殿池１００の排出口１２０方向へ移送される。
【００３２】
そして、前記区画傾斜部１１０は、三角断面形状を持つように形成される。ここで、前記区画傾斜部１１０は、最上端の角部である「t」地点を水平基準で前記沈殿排出部１１２方向への傾斜度「θ１」角度より、最上端の角部である「t」を基準で前記沈殿移送部１１１方向ヘの傾斜度「θ２」の角度が小さく形成される。即ち、前記区画傾斜部１１０は、最上端の角部を基準で、前記沈殿排出部１１２方向での傾斜角度より、前記沈殿移送部１１１方向ヘの傾斜角度がさらに小さく形成されて、前記沈殿移送部１１１で前記沈殿排出部１１２へのスラッジ移送が容易に形成されるようにする一方、前記沈殿排出部１１２から前記沈殿移送部１１１へのスラッジが再び入り込むことを抑制させる。また、前記区画傾斜部１１０の最上端の角部と前記沈殿排出部１１２方向への面部へ、後に説明される水膜発生部４００から噴射される圧力水がぶつかって水膜が形成されるながら、前記沈殿排出部１１２側から前記沈殿移送部１１１方向へスラッジが入り込んで、移送されることを効率的に抑制させられる。ここで、前記区画傾斜部１１０の最上端の角部から前記沈殿移送部１１１方向への傾斜部分は、上面を凹んでラウンドになるように形成させて、前記沈殿移送部１１１から前記沈殿排出部１１２方向へ、後に説明される第１圧力水噴射部２００によって噴射される圧力水の水流誘導を容易にさせる。
【００３３】
前記第１圧力水噴射部２００及び前記第２圧力水噴射部３００は、それぞれ前記沈殿池１００の底に沈殿された前記スラッジを、前記沈殿池１００の排出口１２０へ移送排出させられる。
【００３４】
前記第１圧力水噴射部２００は、前記沈殿池１００の沈殿移送部１１１底に一端が隣接するように設置された状態で、前記沈殿池１００の沈殿移送部１１１底へ圧力水を噴射排出しながら、前記沈殿移送部１１１底のスラッジを前記沈殿排出部１１２へ押し移送させられる。ここで、前記第１圧力水噴射部２００は、第１ポンプ２１０と、第１圧力水供給ライン２２０と、第１圧力水分配ライン２３０と、第１噴射ノズル２４０とを含む。
【００３５】
前記第１ポンプ２１０は、前記沈殿池１００の底、より好ましくは前記沈殿池移送部１１１の底へ噴射排出する圧力水を、外部から前記第１圧力水供給ライン２２０へ供給されるように移送圧力を発生させる。このような前記第１ポンプ２１０は、前記沈殿池１００の一側に設置された状態で、前記第１圧力水供給ライン２２０の長さ方向の一端と連結結合される。この時、前記第１ポンプ２１０は、前記沈殿池１００ 外部に固定状態で設置されたり、前記沈殿池１００内に保存される流体上に、浮遊状態で昇降可能に設置されることができる。ここで、前記第１ポンプ２１０によってパンピングされた後、前記第１圧力水供給ライン２２０に供給される対象流体は、外部で別途に供給されたり前記沈殿池１００の上等数を使うことができる。
【００３６】
前記第１圧力水供給ライン２２０は、前記第１ポンプ２１０によってパンピング加圧された圧力水を、前記第１圧力水分配ライン２３０に移送されるようにガイドする配管部材である。このような前記第１圧力水供給ライン２２０の長さ方向の一端は前記第１ポンプ２１０の出口に連結結合されて、長さ方向の他端は前記第１圧力水分配ライン２３０の入口端部に連結結合される。
【００３７】
前記第１圧力水分配ライン２３０は、前記第１圧力水供給ライン２２０から供給された前記圧力水を前記沈殿池１００内部で効率的に噴射されることができるように、複数の噴気ラインで連結されるパイプ部材である。即ち、前記第１圧力水分配ライン２３０の長さ方向の一端は、前記第１圧力水供給ライン２２０の長さ方向の他端に連結結合されて、長さ方向の他端は、前記沈殿池１００の沈殿移送部１１１底上方に水平状態で離隔配置される。この時、前記第１圧力水分配ライン２３０は、前記第１圧力水供給ライン２２０の長さ方向に複数個を、相互一定間隔で離隔された状態で、前記第１圧力水供給ライン２２０に連通される噴気ラインの構造で連結設置される。ここで、前記第１圧力水分配ライン２３０の長さ方向の他端は、前記沈殿池１００の沈殿移送部１１１底から上方へ、一定間隔で離隔されるように配置されるのが好ましいが、これに限定しないで、前記沈殿移送部１１１底又は側壁部に隣接するように設置したり、前記沈殿池１００の沈殿移送部１１１底の内部又は側面の内部に埋設された状態で、前記第１噴射ノズル２４０のチップ端部が前記沈殿池１００底面の外部へ突出されるように形成できる。ともに、前記第１圧力水分配ライン２３０の一端の一側には、前記第１圧力水供給ライン２２０から伝達される圧力水の前記第１噴射ノズル２４０への供給可否を選択的に制御するように、第１調節バルブ２６０が具備されるのももちろんである。また、前記第１圧力水分配ライン２３０の一端の一側には、前記第１調節バルブ２６０のロック時まさに前記第１噴射ノズル２４０による圧力水の噴射を遮断しないで、一定時間以後にロックされるようにしながら前記第１噴射ノズル２４０によってスラッジが逆流入されることを遮断する第１負圧遅延バルブ２７０が具備されることもできる。このような前記第１負圧遅延バルブ２７０は、前記第１圧力水分配ライン２３０に迂回状態で連結設置される。
【００３８】
前記第１噴射ノズル２４０は、前記第１圧力水分配ライン２３０に供給された前記圧力水を前記沈殿池１００底、より好ましくは前記沈殿移送部１１１底に沈殿されたスラッジへ噴射排出させながら、前記沈殿移送部１１１底に沈殿されたスラッジを前記沈殿排出部１１２方向へ移送させられる。このような第１噴射ノズル２４０は、前記第１圧力水分配ライン２３０の長さ方向へ相互離隔されるように複数個が形成される。ここで、前記第１噴射ノズル２４０のチップ部分は、噴射排出される前記圧力水を前記沈殿排出部１１２方向へ噴射排出するように前記沈殿排出部１１２方向を向けるように、前記沈殿移送部１１１底に水平状態で前記第１圧力水分配ライン２３０に連通される。従って、前記第１噴射ノズル２４０から前記圧力水が噴射排出する時、前記沈殿池１００の沈殿移送部１１１底に沈殿された前記スラッジは、前記沈殿排出部１１２方向へ移送させられる。
【００３９】
このような、前記第１圧力水噴射部２００には、前記第１圧力水分配ライン２３０の長さ方向へ相互離隔されるように、複数の第１補助噴射ノズル２５０を追加で連通形成できる。即ち、前記第１補助噴射ノズル２５０は、前記第１噴射ノズル２４０より下方に配置されるように前記第１圧力水分配ライン２３０に連通されて、前記第１噴射ノズル２４０で噴射排出される圧力水によって移送されない残余スラッジを、前記沈殿排出部１１２に移送させられる役割をする。ここで、前記第１補助噴射ノズル２５０は、チップ部分が前記第１噴射ノズル２４０のチップ部分下方に、水平状態で配置されるように前記第１圧力水分配ライン２３０に連通される。この時、前記第１補助噴射ノズル２５０は、相互隣接する一対の前記第１噴射ノズル２４０らの間にそれぞれ配置されるように、前記第１圧力水分配ライン２３０に連通形成されるのが好ましい。
【００４０】
前記第２圧力水噴射部３００は、前記沈殿池１００の沈殿排出部１１２底に一端が隣接するように設置された状態で、前記沈殿池１００の沈殿排出部１１２底へ圧力水を噴射排出しながら、前記沈殿排出部１１２底のスラッジを前記排出口１２０へ押し移送させられる。ここで、前記第２圧力水噴射部３００は、第２ポンプ３１０と、第２圧力水供給ライン３２０と、第２圧力水分配ライン３３０と、第２噴射ノズル３４０とを含む。
【００４１】
前記第２ポンプ３１０は、前記沈殿池１００の底、より好ましくは前記沈殿池排出部１１２の底へ噴射排出する圧力水を、外部から前記第２圧力水供給ライン３２０へ供給できるように移送圧力を発生させる。このような前記第２ポンプ３１０は、前記沈殿池１００の一側に設置された状態で前記第２圧力水供給ライン３２０の長さ方向の一端と連結結合される。この時、前記第２ポンプ３１０は、前記沈殿池１００外部に固定状態で設置されたり前記沈殿池１００内に保存される流体上に浮遊状態で昇降可能に設置されることができる。ここで、前記第２ポンプ３１０によってパンピングされた後前記第２圧力水供給ライン３２０に供給される対象流体は、外部で別途に供給されたり前記沈殿池１００の上等数を使うことができる。
【００４２】
前記第２圧力水供給ライン３２０は、前記第２ポンプ３１０によってパンピングし加圧された圧力水を、前記第２圧力水分配ライン３３０に移送されるようにガイドする配管部材である。このような前記第２圧力水供給ライン３２０の長さ方向の一端は、前記第２ポンプ３１０の出口に連結結合され、長さ方向の他端は、前記第２圧力水分配ライン３３０の入口端部に連結結合される。
【００４３】
前記第２圧力水分配ライン３３０は、前記第２圧力水供給ライン３２０から供給された前記圧力水を、前記沈殿池１００内部で効率的に噴射されられるように、複数の噴気ラインで連結される管部材である。即ち、前記第２圧力水分配ライン３３０の長さ方向の一端は、前記第２圧力水供給ライン３２０の長さ方向の他端に連結結合され、長さ方向の他端は、前記沈殿池１００の沈殿排出部１１２底上方に水平状態で離隔し配置される。この時、前記第２圧力水分配ライン３３０は、前記第２圧力水供給ライン３２０の長さ方向に複数個を相互一定間隔で隔離された状態で、前記第２圧力水供給ライン３２０に連通される噴気ライン構造で連結設置される。ここで、前記第２圧力水分配ライン３３０の長さ方向の他端は、前記沈殿池１００の沈殿排出部１１２底から上方へ一定間隔で離隔されるように配置されるのが好ましいが、これに限定しないで、前記沈殿排出部１１２底又は側壁部に隣接するように設置したり、前記沈殿池１００の沈殿排出部１１２底の内部又は側面の内部に埋設された状態で、前記第２噴射ノズル３４０のチップ端部が前記沈殿池１００底面の外部へ突出されるように形成できる。ともに、前記第２圧力水分配ライン３３０の一端の一側には、前記第２圧力水供給ライン３２０から伝達される圧力水の前記第２噴射ノズル３４０への供給可否を選択的に制御するように、第２調節バルブ３６０が具備されることもできるのももちろんである。また、前記第２圧力水分配ライン３３０の一端の一側には、前記第２調節バルブ３６０のロック時まさに前記第２噴射ノズル３４０による圧力水の噴射を遮断しないで一定時間以後にロックされるようにしながら、前記第２噴射ノズル３４０によってスラッジが逆流入されることを遮断する第２負圧遅延バルブ３７０が具備されることもできる。このような、前記第２負圧遅延バルブ３７０は、前記第２圧力水分配ライン３３０に迂回状態で連結設置される。
【００４４】
前記第２噴射ノズル３４０は、前記第２圧力水分配ライン３３０に供給された前記圧力水を前記沈殿池１００底、より好ましくは前記沈殿排出部１１２底に沈殿されたスラッジへ噴射排出させながら、前記沈殿排出部１１２底に沈殿されたスラッジを、前記排出口１２０方向へ移送させられる。このような第２噴射ノズル３４０は、前記第２圧力水分配ライン３３０の長さ方向へ相互離隔されるように複数個が形成される。ここで、前記第２噴射ノズル３４０のチップ部分は、噴射排出される前記圧力水を前記排出口１２０方向へ噴射排出するように、前記排出口１２０方向を向けるように前記沈殿排出部１１２底に水平状態で前記第２圧力水分配ライン３３０に連通される。従って、前記第２噴射ノズル３４０から前記圧力水が噴射排出の時、前記沈殿池１００の沈殿排出部１１２底に沈殿された前記スラッジは、前記排出口１２０方向へ移送させられる。
【００４５】
このような、前記第２圧力水噴射部３００には、前記第２圧力水分配ライン３３０の長さ方向へ相互離隔されるように複数の第２補助噴射ノズル３５０を追加で連通形成できる。即ち、前記第２補助噴射ノズル３５０は、前記第２噴射ノズル３４０より下方に配置されるように前記第２圧力水分配ライン３３０に連通形成されて、前記第２噴射ノズル３４０で噴射排出される圧力水によって、移送されない残余スラッジを前記排出口１２０へ移送させられる役割をする。ここで、前記第２補助噴射ノズル３５０は、チップ部分が前記第２噴射ノズル３４０のチップ部分下方に水平状態で配置されるように、前記第２圧力水分配ライン３３０に連通形成される。この時、前記第２補助噴射ノズル３５０は、相互隣接する一対の前記第２噴射ノズル３４０らの間に、それぞれ配置されるように前記第２圧力水分配ライン３３０に連通形成されるのが好ましい。
【００４６】
この時、前記第２圧力水噴射部３００の前記第２調節バルブ３６０は、前記第２圧力水供給ライン３２０によって前記第２圧力水分配ライン３３０に供給される圧力水を、前記第２噴射ノズル３４０及び前記第２補助噴射ノズル３５０で一定時間の間隔を持ちながら噴射排出されるように圧力水の俳出量を制御させることもできる。このように、前記第２圧力水噴射部３００の前記第２調節バルブ３６０によって、前記第２噴射ノズル３４０ 及び前記第２補助噴射ノズル３５０によって噴射される圧力水の時間当りの俳出量を制御することにより、前記沈殿排出部１１２底の沈殿物の搖れを最小化しながら、前記排出口１２０方向への安定的な移送を可能にする。 
【００４７】
前記水膜発生部４００は、前記沈殿池１００の区画傾斜部１１０上部に水膜を形成されるようにし、前記沈殿池１００内の前記沈殿移送部１１１と前記沈殿排出部１１２を分離し遮断状態になるようにする。即ち、前記水膜発生部４００は、前記区画傾斜部１１０の一定の高さの上方に離隔配置されるように、一端が前記沈殿池１００ 内側に設置された状態で、前記第２圧力水噴射部３００によって前記沈殿排出部１１２の前記スラッジが前記排出口１２０方向へ移送排出される時、前記区画傾斜部１１０の上部へ圧力水を噴射されるようにする。従って、前記水膜発生部４００で噴射される前記圧力水は、前記沈殿移送部１１１と前記沈殿排出部１１２の間に水膜を形成されるようにしながら、前記沈殿排出部１１２から前記排出口１２０方向へスラッジを移送の時、前記沈殿移送部１１１方向へスラッジがまた入り込んで流入沈殿されることを防止するようになる。ここで、前記水膜発生部４００は、第３ポンプ４１０と、第３圧力水供給ライン４２０と、第３圧力水分配ライン４３０と、第３噴射ノズル４４０とを含む。
【００４８】
前記第３ポンプ４１０は、前記沈殿池１００の区画傾斜部１１０上部へ噴射排出する圧力水を、外部で供給できるように移送圧力を発生させる。このような前記第３ポンプ４１０は、前記沈殿池１００の一側に設置された状態で、前記第３圧力水供給ライン４２０の長さ方向の一端に連結結合される。この時、前記第３ポンプ４１０は、前記沈殿池１００外部に設置したり前記沈殿池１００内側に保存される流体上に浮遊状態に昇降可能に設置されることができる。ここで、前記第３ポンプ４１０によってパンピングされる圧力水になる対象流体は、外部で別途に供給されたり前記沈殿池１００の上等数を選択的に使うことができる。このように、一実施例による前記第３ポンプ４１０は、別途のパンピング装置が設置されたことに図示したが、ここに限定しないで、前に説明した前記第１、２ポンプ２１０、３１０中の一つをパンピング装置として選択に適用できるのももちろんである。
【００４９】
前記第３圧力水供給ライン４２０は、前記第３ポンプ４１０によってパンピング加圧された圧力水を、前記第３圧力水分配ライン４３０へ移送されるようにガイドする配管部材である。このような前記第３圧力水供給ライン４２０の長さ方向の一端は、前記第３ポンプ４１０の出口に連結結合され、長さ方向の他端は、前記第３圧力水分配ライン４３０の入口端部に連結結合される。
【００５０】
前記第３圧力水分配ライン４３０は、前記第３圧力水供給ライン４２０から供給された前記圧力水を前記沈殿池１００内の前記区画傾斜部１１０上部へ噴射させながら、水膜を形成させられる管部材である。即ち、前記第３圧力水分配ライン４３０の長さ方向の一端は、前記第３圧力水供給ライン４２０の長さ方向の他端に連結結合され、長さ方向の他端は、前記沈殿池１００内の前記区画傾斜部１１０上方に離隔されるように水平状態で並んで配置される。ともに、前記第３圧力水分配ライン４３０の一側には、前記第３圧力供給ライン４２０から、前記第２圧力水噴射部３００による圧力水の噴射動作が形成される時だけ、前記圧力水を選択的に供給されることができるようにする第３制御バルブ４５０が具備されられるのももちろんである。また、前記第３圧力水分配ライン４３０の一端の一側には、前記第３調節バルブ４５０のロック時まさに前記第３噴射ノズル４４０による圧力水の噴射を遮断しないで、一定時間以後にロックされるようにしながら、前記第３噴射ノズル４４０によってスラッジが逆流入されることを遮断する第３負圧遅延バルブ４６０が具備されることもできる。このような前記第３負圧遅延バルブ４６０は、前記第３圧力水分配ライン４３０に迂回状態で連結設置される。
【００５１】
前記第３噴射ノズル４４０は、前記第３圧力水分配ライン４３０に供給された前記圧力水を前記沈殿池１００底の区画傾斜部１１０上部で噴射排出させながら、前記沈殿池１００内下部の一定の高さまで、前記区画傾斜部１１０を中心に前記第３噴射ノズル４４０で噴射される圧力水によって生成される水膜によって分離し区画させされる。このような第３噴射ノズル４４０は、前記第３圧力水分配ライン４３０の長さ方向に、相互離隔されるように複数個が形成される。ここで、前記第３噴射ノズル４４０のチップ部分は、噴射排出される前記圧力水を前記区画傾斜部１１０方向へ排出させるように、前記区画傾斜部１１０の上面を向けるように、前記第３圧力水分配ライン４３０に下方を向けるように連結される。従って、前記第３噴射ノズル４４０から前記圧力水が噴射排出の時、前記沈殿池１００の区画傾斜部１１０上部で噴射排出される前記圧力水による水膜が形成される。従って、前記第３噴射ノズル４４０で前記圧力水が噴射の時、前記沈殿池１００の沈殿移送部１１１と前記沈殿排出部１１２は水膜によって分離し区画されながら、前記第２圧力水噴射部３００で前記スラッジを前記排出口１２０で移送排出の時、前記沈殿移送部１１１で前記スラッジが再流入されることが遮断できるようになる。
【００５２】
このような、一実施例による前記沈殿池用スラッジ排出装置の前記沈殿池１００には、水流誘導板５００と死角区域噴射部６００とを追加設置することができる。先に、前記水流誘導板５００は、前記沈殿池１００の内側底の角部分に設置される。ここで、前記水流誘導板５００は、上面が一側で凹んでラウンドになるように形成された形状を持つ板部材である。このような前記水流誘導板５００は、前記沈殿池１００の内側底の角部分に設置されて、前記沈殿池１００の内側底の角部分を緩やかな傾斜を持てるようにし、前記沈殿池１００底の角部分にスラッジが積もることを防止する。この時、前記水流誘導板５００は、前記沈殿池１００の沈殿移送部１１１先端底の角部分に固定状態で結合設置されるのが好ましいが、これに限定しないで、前記沈殿池１００底の各角部分に全部設置されるのももちろんである。
【００５３】
前記死角区域噴射部６００は、前記水流誘導板５００上へ圧力水が噴射されるようにする。このような前記死角区域噴射部６００は、前記第１圧力水噴射部２００に連結され前記第１圧力水噴射部２００から圧力水が供給されて噴射排出する。ここで、前記死角区域噴射部６００は、前記水流誘導板５００を前記沈殿排出部１１２底の角部分に追加設置する場合には、追加的に前記第２圧力水噴射部２００に連結されて、前記第２圧力水噴射部２００から圧力水が供給され前記沈殿排出部１１２底の角部分に設置された前記水流誘導板５００上部へ、圧力水を噴射排出させられるのももちろんである。このような前記死角区域噴射部６００は、水流供給ライン６１０と、水流噴射ノズル６２０とを含む。
【００５４】
前記水流供給ライン６１０は、前記第１圧力水噴射部２００に連結されて、前記第１圧力水噴射部２００から圧力水が供給される配管部分である。このような、前記水流供給ライン６１０の長さ方向の一端は、前記第１圧力水噴射部２００の第１圧力水供給ライン２２０に連通結合され、長さ方向他端は、前記沈殿池１００の先端壁部に固定結合される。この時、前記水流供給ライン６１０の長さ方向の他端は、前記水流誘導板５００の上方に配置されるように、前記沈殿移送部１１１の先端に位置する前記沈殿池１００の先端の壁部に固定結合される。ここで、前記水流供給ライン６１０は、前に説明したように前記水流誘導板５００を前記沈殿池１００の内側の角部分にいくつか設置する場合、それぞれの前記水流誘導板５００上方に配置されるように追加設置されられるのもちろんである。この時、前記水流誘導板５００が前記沈殿池１００の沈殿排出部１１２０底の角部分に設置された場合には、前記水流供給ライン６１０の長さ方向の一端が、前記第２圧力水噴射部２００の第２圧力水供給ライン３２０に連通結合されるのが好ましい。
【００５５】
前記水流噴射ノズル６２０は、前記水流供給ライン６１０に供給される圧力水を前記水流誘導板５００方向へ噴射させながら、前記沈殿池１００内側の角部分に沈殿されたスラッジを移送させられる。即ち、前記水流噴射ノズル６２０は、前記第１圧力水噴射部２００の第２圧力水供給ライン３２０によって、前記水流供給ライン６１０に供給される圧力水を前記沈殿移送部１１１の先端角部分に設置された前記水流誘導板５００方向へ噴射させられ、前記沈殿移送部１１１内側先端に沈殿されたスラッジを前記沈殿排出部１１２方向へ移送させられる。このような前記水流噴射ノズル６２０は、前記水流供給ライン６１０の長さ方向に相互一定間隔で離隔されるように複数個が形成される。そして、前記水流噴射ノズル６２０は、チップ部分が前記水流誘導板５００の上面を向けるように、前記水流供給ライン６１０に連結される。
【００５６】
このように構成された一実施例の前記沈殿池用スラッジ排出装置を利用した沈殿池のスラッジ排出作業を説明すれば、先に、前記第１圧力水噴射部２００によって、前記沈殿池１００の沈殿移送部１１１底に沈殿されたスラッジを、前記沈殿排出部１１２方向へ移送させる。即ち、前記第１圧力水噴射部２００の第１ポンプ２１０を作動させて、対象流体を加圧パンピングさせた圧力水を前記第１圧力水供給ライン２２０と前記第１圧力水分配ライン２３０へ供給した後、前記第１噴射ノズル２４０によって、噴射排出させられる。前記第１噴射ノズル２４０で噴射排出される圧力水は、前記沈殿移送部１１１の底部分から、前記沈殿排出部１１２底方向へ噴射されながら、前記沈殿移送部１１１に沈殿されたスラッジを、前記沈殿排出部１１２方向へ移送させられる。
【００５７】
以後、前記第２圧力水噴射部３００によって前記沈殿池１００の沈殿排出部１１２底に沈殿されたスラッジを、前記排出口１２０方向へ移送排出させられる。即ち、前記第２圧力水噴射部３００の第２ポンプ３１０を作動させて、外部の対象流体を加圧パンピングさせた圧力水を、前記第２圧力水供給ライン３２０と前記第２圧力水分配ライン３３０へ供給した後、前記第２噴射ノズル３４０によって噴射排出させられる。前記第２噴射ノズル３４０で噴射排出される圧力水は、前記沈殿排出部１１２の底部分から前記排出口１２０方向へ噴射されながら、前記沈殿排出部１１２に沈殿されたスラッジを前記排出口１２０方向へ移送排出させられる。
【００５８】
ここで、前記第２圧力水噴射部３００による圧力水排出で、前記スラッジを移送させられる時には、同時に前記水膜発生部４００を作動させて、前記沈殿池１００の沈殿移送部１１１と前記沈殿排出部１１２の間の底部分を、水膜で分離させる動作も行う。即ち、前記水膜発生部４００の第３ポンプ４１０を作動させて、対象流体を加圧パンピングさせた圧力水を、前記第３圧力水供給ライン４２０と前記第３圧力水分配ライン４３０へ供給した後、前記第３噴射ノズル４４０によって噴射排出させられる。前記第３噴射ノズル４４０で噴射排出される圧力水は、前記区画傾斜部１１０上方から前記区画傾斜部１１０上面へ噴射されながら、前記沈殿移送部１１１と前記沈殿排出部１１２が前記区画傾斜部１１０を基準で、水膜によって分離し区画される。従って、前記第２圧力水噴射部３００の圧力水排出による前記沈殿排出部１１２のスラッジを、前記排出口１２０へ移送排出の時、前記沈殿排出部１１２で散らばるスラッジが前記沈殿移送部１１１に再流入されることを遮断させ、前記沈殿池１００内のスラッジの外部排出効率が増大される。
【００５９】
このように、一実施例による前記沈殿池用スラッジ排出装置は、前記沈殿池１００の底に沈殿移送部１１１と沈殿排出部１１２で区画させる区画傾斜部１１０を、一定の高さで突出されるように形成し、前記沈殿移送部１１１から前記沈殿排出部１１２へのスラッジ移送は、前記第１圧力水噴射部２００によって形成され、前記沈殿排出部１１２から前記排出口１２０によるスラッジの前記沈殿池１００ 外部への移送排出は前記第２圧力水噴射部３００によって形成される。この時、前記水膜発生部４００は、前記区画傾斜部１１０上部で水膜が形成されるようにしながら、前記第２圧力水噴射部３００が前記スラッジを前記排出口１２０方向への排出の時、前記スラッジが前記沈殿移送部１１１へ再流入移送されることを遮断して、前記スラッジの排出を効率的に行わせられる。
【００６０】
本発明は、図示の実施例を参照しながら説明したが、これは例示のためのものに過ぎなく、当該技術分野における当業者なら、これらの実施例から多様な変形及び均等な他の実施例が可能である。従って、本発明の真正な技術的保護範囲は、添付された特許請求の範囲の技術的思想によって定められる。
【符号の説明】
【００６１】
１００：  沈殿池
１１０：  区画傾斜部
１１１：  沈殿移送部
１１２：  沈殿排出部
１２０：  排出口
２００：  第１圧力水噴射部
３００：  第２圧力水噴射部
２１０：  第１ポンプ
２２０：  第１圧力水供給ライン
２３０：  第１圧力水分配ライン
２４０：  第１噴射ノズル
２５０：  第１補助噴射ノズル
３００：  第２圧力水噴射部
３１０：  第２ポンプ
３２０：  第２圧力水供給ライン
３３０：  第２圧力水分配ライン
３４０：  第２噴射ノズル
３５０：  第２補助噴射ノズル
４００：  水膜発生部
４１０：  第３ポンプ
４２０：  第３圧力水供給ライン
４３０：  第３圧力水分配ライン
４４０：  第３噴射ノズル
【図１】
2017502831.tif 000003
【図２】
2017502831.tif 000004
【国際調査報告】
2017502831.tif 000005
2017502831.tif 000006
2017502831.tif 000007
2017502831.tif 000008